(57)【要約】【課題】本発明は、再封・封緘性を向上した再封可能なカートンを提供することを目的とする。【解決手段】前板・後板（１０ａ、１０ｂ）と側板（１１ａ、１１ｂ）と上蓋（１２）及び底蓋（１３）とを有するカートンで、上蓋用フラップ（１２ａ、１２ｂ）と、それと一体的である側板用フラップ（１４）とを有し、該側板用フラップ（１４）は、翼部（１４ａ）をなし、前記側板（１１ａ、１１ｂ）は、中央折り目線（ｚ）が形成され、翼部（１４ａ）が側板方向下方に折り曲げられたとき、内側に屈曲せしめられ、該上蓋（１２）は、閉じ、且つ、重なり合った状態に保持される再封可能なカートンにおいて、前記上蓋（１２）の上蓋用フラップ（１２ａ、１２ｂ）と前記前板・後板（１０ａ、１０ｂ）とを連設する所定の位置に、曲線状の折り目線（ｄ）により設けられる円弧部分（１９）を有することを特徴とする再封・封緘性を向上した再封可能なカートンである。【選択図】図４
2009126547.tif 000002
【特許請求の範囲】
【請求項１】
少なくとも、矩形状の前板・後板と側板と上蓋及び底蓋とを有する再封可能なカートンであり、前記上蓋は、互いに重なり合ってカートンを閉じるそれぞれの上蓋用フラップと、該上蓋用フラップと側板との間に設けられた側板用フラップと、上蓋用フラップと側板とに連設している側板用フラップとからなり、該側板用フラップは、側板に押圧された状態で位置するように下方に折り曲げられることができる三角形の翼部をなし、前記側板には、側板用フラップから該側板の長手方向下方に延在する中央折り目線が形成され、これにより、側板は、内側に屈曲して凹部をなすことができ、翼部が水平線を越えて側板方向下方に折り曲げられたとき、側板は、内側に屈曲せしめられると共に、該側板は、互いに近接せしめられることができ、内側に屈曲した側板に対して下方向に押圧された翼部により、該上蓋用フラップは、カートンの上部において、閉じ、且つ、重なり合った状態に保持される再封可能なカートンにおいて、前記上蓋の上蓋用フラップと前記前板・後板とが、曲線状の折り目線により形成される円弧部分を有することを特徴とする再封・封緘性を向上した再封可能なカートン。
【請求項２】
前記カートンは、上蓋を閉じる際に、それぞれの側板に連設しているそれぞれの側板用フラップが折り込まれると、前記円弧部分により、内側に折り込まれる力がかかり、折り込まれた形状を保持することを特徴とする請求項１記載の再封・封緘性を向上した再封可能なカートン。
【請求項３】
前記上蓋の曲線状の折り目線で設けられる円弧部分は、該上蓋の１／３以下の幅であることを特徴とする請求項１又は２記載の再封・封緘性を向上した再封可能なカートン。
【請求項４】
前記円弧部分は、少なくとも、１つ以上設けられ、さらに、それぞれの側板に近接していることを特徴とする請求項１乃至３のいずれか１項記載の再封・封緘性を向上した再封可能なカートン。
【発明の詳細な説明】
【技術分野】
【０００１】
本発明は、再封・封緘性を向上した再封可能なカートンに関するものである。
【背景技術】
【０００２】
従来のカートンは、例えば、図８に示すように、少なくとも、矩形状の前板・後板（１０ａ、１０ｂ）と側板（１１ａ、１１ｂ）と上蓋（１２）及び底蓋（１３）とを有する再封可能なカートンである。（例えば、特許文献１参照。）。
【０００３】
前記上蓋（１２）は、前記前板・後板（１０ａ、１０ｂ）と折り目線（ｃ）を介して連設され、互いに重なり合ってカートンを閉じるそれぞれの上蓋用フラップ（１２ａ、１２ｂ）と、該上蓋用フラップ（１２ａ、１２ｂ）と側板（１１ｂ）との間に設けられた側板用フラップ（１４）と、上蓋用フラップ（１２ａ）と側板（１１ａ）とに連設している側板用フラップ（１４）とからなり、該側板用フラップ（１４）は、側板に押圧された状態で位置するように下方に折り曲げられることができる三角形の翼部（１４ａ）をなし、前記それぞれの側板（１１ａ、１１ｂ）には、側板用フラップ（１４）の上端から該側板（１１ａ、１１ｂ）の長手方向下方に延在する中央折り目線（ｚ）が形成されている。
【０００４】
これにより、該側板（１１ａ、１１ｂ）は、内側に屈曲して凹部をなすことができ、翼部（１４ａ）が水平線を越えて側板方向下方に折り曲げられたとき、該側板（１１ａ、１１ｂ）は、内側に屈曲せしめられると共に、該側板（１１ａ、１１ｂ）は、互いに近接せしめられることができ、内側に屈曲した側板（１１ａ、１１ｂ）に対して下方向に押圧された翼部（１４ａ）により、該上蓋用フラップ（１２ａ、１２ｂ）は、カートンの上部において、閉じ、且つ、重なり合った状態に保持される。
【０００５】
すなわち、図５に示すように、矩形の前板（１０ａ）の両側にそれぞれ折り目線を介してそれぞれの側板（１１ａ、１１ｂ）が連設され、該側板（１１ａ、１１ｂ）の一方に前板（１０ａ）と対称状に折り目線を介して後板（１０ｂ）が連設され、該後板（１０ｂ）の側板が連設されていない側に折り目線を介して糊代片（１６）が連設されている。
【０００６】
前記前板・後板（１０ａ、１０ｂ）の上端に折り目線（ｃ）を介して上蓋（１２）を形成するそれぞれの上蓋用フラップ（１２ａ、１２ｂ）が連設され、また、その下端に折り目線を介して底蓋（１３）を形成するそれぞれの底蓋用フラップ（１３ａ、１３ｂ）が連設されている。
【０００７】
前記上蓋用フラップ（１２ａ、１２ｂ）の先端には、突出した形状のそれぞれの舌片（１７ａ、１７ｂ）が設けられている。その突出した形状と長さは、同一でも構わないが、前板（１０ａ）の上蓋用フラップ（１２ａ）を他方の後板（１０ｂ）の上蓋用フラップ（１２ｂ）の上側に位置させることも可能である。
【０００８】
前記側板（１１ａ、１１ｂ）の上端に折り目線を介して、それぞれの上蓋用フラップ（１２ａ、１２ｂ）と一体的である側板用フラップ（１４）が連設され、該側板用フラップ（１４）は、翼部（１４ａ）と、折り目線（ｘ）で形成される三角形状の舌片（１４ｂ）とから形成されている。
【０００９】
また、該側板（１１ａ、１１ｂ）には、側板用フラップ（１４）の上端から該側板（１１ａ、１１ｂ）の長手方向下方に延在する中央折り目線（ｚ）が形成されている。
【００１０】
さらに、それぞれの側板（１１ａ、１１ｂ）を内側に屈曲し易くするために該側板（１１ａ、１１ｂ）の下の各コーナから中央折り目線（ｚ）の所定の位置に至るそれぞれの折り目線（ｙ）を設けることができる。また、該側板（１１ａ、１１ｂ）の下部には、折り目線を介して、耳フラップ（１５）が連設されている。
【００１１】
このような構造からなるカートンブランクを折り目線に沿って折り曲げ、また、必要箇所は糊付けするなどの加工作業により、図６に示すように、底蓋（１３）が折り畳まれて封緘され、上部が開封した状態のカートンが組み上がる。
【００１２】
次に、このカートンを閉じる状態を、図６〜図８に基づいて説明する。まず、カートンを閉じる際には、上側の上蓋用フラップ（１２ａ）を下側の上蓋用フラップ（１２ｂ）に覆い被さるように閉じて行くと、同時に該上蓋用フラップ（１２ａ、１２ｂ）と一体的に形成されているそれぞれの側板用フラップ（１４、１４）の翼部（１４ａ）が外向きに折り曲げられ三角形のフラップとして形成され、そのような状態の該翼部（１４ａ）を外方向下側に折り曲げると、それぞれの該翼部（１４ａ）は、二重壁構造の三角形状となり、その下側の壁がそれぞれの側板（１１ａ、１１ｂ）に密着し、同時に該上蓋用フラップ（１２ａ、１２ｂ）からなる上蓋（１２）は、カートンの上部において、閉じ、且つ、重なり合った状態に保持される。
【００１３】
このように従来の再封可能なカートンは、前述のように、少なくとも、上蓋用フラップ（１２ａ、１２ｂ）と、翼部（１４ａ）及び中央折り目線（ｚ）を有する側板（１１ａ、１１ｂ）とから形成されていることにより、前記翼部（１４ａ）が側板方向下方に折り曲げられことで、前記上蓋用フラップ（１２ａ、１２ｂ）からなる上蓋（１２）は、カートンの上部において、閉じ、且つ、重なり合った状態に保持されるが、時に再封・封緘時の両側面の折り込まれる部分が確実に折り込まれない現象が起こり得ることが懸念される。
【００１４】
以下に先行技術文献を示す。
【特許文献１】特許第３１０１３２４号公報
【発明の開示】
【発明が解決しようとする課題】
【００１５】
本発明は、このような従来技術の問題点を解決しようとするものであり、再封・封緘性を向上した再封可能なカートンを提供することを目的とする。
【課題を解決するための手段】
【００１６】
本発明は、上記の課題を解決するために成されたものであり、本発明の請求項１に係る発明は、少なくとも、矩形状の前板・後板（１０ａ、１０ｂ）と側板（１１ａ、１１ｂ）と上蓋（１２）及び底蓋（１３）とを有する再封可能なカートンであり、前記上蓋（１２）は、互いに重なり合ってカートンを閉じるそれぞれの上蓋用フラップ（１２ａ、１２ｂ）と、該上蓋用フラップ（１２ａ、１２ｂ）と側板（１１ｂ）との間に設けられた側板用フラップ（１４）と、上蓋用フラップ（１２ａ）と側板（１１ａ）とに連設している側板用フラップ（１４）とからなり、該側板用フラップ（１４）は、側板に押圧された状態で位置するように下方に折り曲げられることができる三角形の翼部（１４ａ）をなし、前記側板（１１ａ、１１ｂ）には、側板用フラップ（１４）から該側板（１１ａ、１１ｂ）の長手方向下方に延在する中央折り目線（ｚ）が形成され、これにより、側板（１１ａ、１１ｂ）は、内側に屈曲して凹部をなすことができ、翼部（１４ａ）が水平線を越えて側板方向下方に折り曲げられたとき、側板（１１ａ、１１ｂ）は、内側に屈曲せしめられると共に、該側板（１１ａ、１１ｂ）は、互いに近接せしめられることができ、内側に屈曲した側板（１１ａ、１１ｂ）に対して下方向に押圧された翼部（１４ａ）により、該上蓋用フラップ（１２ａ、１２ｂ）は、カートンの上部において、閉じ、且つ、重なり合った状態に保持される再封可能なカートンにおいて、前記上蓋（１２）の上蓋用フラップ（１２ａ、１２ｂ）と前記前板・後板（１０ａ、１０ｂ）とが、曲線状の折り目線（ｄ）により形成される円弧部分（１９）を有することを特徴とする再封・封緘性を向上した再封可能なカートンである。
【００１７】
本発明の請求項２に係る発明は、請求項１記載の再封・封緘性を向上した再封可能なカートンにおいて、前記カートンは、上蓋（１２）を閉じる際に、それぞれの側板（１１ａ、１１ｂ）に連設しているそれぞれの側板用フラップ（１４、１４）が折り込まれると、前記円弧部分（１９）により、内側に折り込まれる力がかかり、折り込まれた形状を保持することを特徴とする再封・封緘性を向上した再封可能なカートンである。
【００１８】
本発明の請求項３に係る発明は、請求項１又は２記載の再封・封緘性を向上した再封可能なカートンにおいて、前記上蓋（１２）の曲線状の折り目線（ｄ）で設けられる円弧部分（１９）は、該上蓋（１２）の１／３以下の幅であることを特徴とする再封・封緘性を向上した再封可能なカートンである。
【００１９】
本発明の請求項４に係る発明は、請求項１乃至３のいずれか１項記載の再封・封緘性を向上した再封可能なカートンにおいて、前記円弧部分（１９）は、少なくとも、１つ以上設けられ、さらに、それぞれの側板（１１ａ、１１ｂ）に近接していることを特徴とする再封・封緘性を向上した再封可能なカートンである。
【発明の効果】
【００２０】
本発明に係る再封・封緘性を向上した再封可能なカートンは、少なくとも、矩形状の前板・後板と側板と上蓋及び底蓋とを有する再封可能なカートンであり、前記上蓋は、互いに重なり合ってカートンを閉じるそれぞれの上蓋用フラップと、該上蓋用フラップと側板との間に設けられた側板用フラップ、上蓋用フラップと側板とに連設している側板用フラップとからなり、該側板用フラップは、側板に押圧された状態で位置するように下方に折り曲げられることができる三角形の翼部をなし、前記側板には、側板用フラップから該側板の長手方向下方に延在する中央折り目線が形成され、これにより、側板は、内側に屈曲して凹部をなすことができ、翼部が水平線を越えて側板方向下方に折り曲げられたとき、側板は、内側に屈曲せしめられると共に、該側板は、互いに近接せしめられることができ、内側に屈曲した側板に対して下方向に押圧された翼部により、該上蓋用フラップは、カートンの上部において、閉じ、且つ、重なり合った状態に保持される再封可能なカートンにおいて、前記上蓋の上蓋用フラップと前記前板・後板とが、曲線状の折り目線により形成される円弧部分を有することにより、該円弧部分となる曲線状の折り目により、側板用フラップが内側へ折り曲げられたまま保形されるため、再封・封緘性が強固になる。
【発明を実施するための最良の形態】
【００２１】
本発明の実施の形態を図１から図４に基づいて詳細に説明するが、特にこれに制約されるものではない。
【００２２】
図１は本発明に係る再封・封緘性を向上した再封可能なカートンのブランクの１実施例を示す展開図であり、図２は本発明に係る再封・封緘性を向上した再封可能なカートンの上蓋を開放した状態の１実施例を示す斜視図であり、図３は本発明に係る再封・封緘性を向上した再封可能なカートンの上蓋を途中まで閉じた状態の１実施例を示す斜視図であり、図４は本発明に係る再封・封緘性を向上した再封可能なカートンの上蓋を完全に閉じた状態の１実施例を示す斜視図である。
【００２３】
本発明に係る１実施例の再封・封緘性を向上した再封可能なカートンは、図４に示すように、少なくとも、矩形状の前板・後板（１０ａ、１０ｂ）と側板（１１ａ、１１ｂ）と
上蓋（１２）及び底蓋（１３）とを有する再封可能なカートンである。
【００２４】
前記上蓋（１２）の上蓋用フラップ（１２ａ、１２ｂ）と前記前板・後板（１０ａ、１０ｂ）とを連設する所定の位置に、曲線状の折り目線（ｄ）により設けられる円弧部分（１９）を有するものである。
【００２５】
前記上蓋（１２）は、互いに重なり合ってカートンを閉じるそれぞれの上蓋用フラップ（１２ａ、１２ｂ）と、該上蓋用フラップ（１２ａ、１２ｂ）と側板（１１ｂ）との間に設けられた側板用フラップ（１４）と、上蓋用フラップ（１２ａ）と側板（１１ａ）とに連設している側板用フラップ（１４）とから構成されている。
【００２６】
該側板用フラップ（１４）は、側板に押圧された状態で位置するように下方に折り曲げられることができる三角形の翼部（１４ａ）をなし、前記側板（１１ａ、１１ｂ）には、側板用フラップ（１４）の上端から該側板（１１ａ、１１ｂ）の長手方向下方に延在する中央折り目線（ｚ）が形成されている。
【００２７】
これにより、側板（１１ａ、１１ｂ）は、内側に屈曲して凹部をなすことができ、翼部（１４ａ）が水平線を越えて側板方向下方に折り曲げられたとき、側板（１１ａ、１１ｂ）は、内側に屈曲せしめられると共に、該側板（１１ａ、１１ｂ）は、互いに近接せしめられることができ、内側に屈曲した側板（１１ａ、１１ｂ）に対して下方向に押圧された翼部（１４ａ）により、該上蓋用フラップ（１２ａ、１２ｂ）は、カートンの上部において、閉じ、且つ、重なり合った状態に保持される。
【００２８】
前記カートンは、上蓋（１２）を閉じる際に、それぞれの側板（１１ａ、１１ｂ）に連設しているそれぞれの側板用フラップ（１４、１４）が折り込まれると、前記円弧部分（１９）により、内側に折り込まれる力がかかり、折り込まれた形状を保持するものである。
【００２９】
また、前記上蓋（１２）の曲線状の折り目線（ｄ）で設けられる円弧部分（１９）は、強度面を考慮すると、該上蓋（１２）の１／３以下の幅であることが好ましい。
【００３０】
さらに、前記円弧部分（１９）は、１つ、もしくは複数個設けられていても良いが、該円弧部分（１９）は、それぞれの側板（１１ａ、１１ｂ）に近接していることが必要である。もしも、離れて存在すると、前述した円弧部分（１９）の効果が発揮できない。
【００３１】
ところで、本発明に係る１実施例の再封・封緘性を向上した再封可能なカートンは、図１に示すような構造をしたブランクから形成される。すなわち、矩形の前板（１０ａ）の両側にそれぞれ折り目線を介してそれぞれの側板（１１ａ、１１ｂ）が連設され、該側板（１１ａ、１１ｂ）の一方に前板（１ｏａ）と対称状に折り目線を介して後板（１０ｂ）が連設され、該後板（１０ｂ）の側板が連設されていない側に折り目線を介して糊代片（１６）が連設されている。
【００３２】
前記前板・後板（１０ａ、１０ｂ）の上端に従来の折り目線（ｃ）の代わりに、曲線状の折り目線（ｄ）により設けられる円弧部分（１９）を形成し、この円弧部分（１９）を介して、上蓋（１２）を形成するそれぞれの上蓋用フラップ（１２ａ、１２ｂ）が連設され、また、その下端に折り目線を介して底蓋（１３）を形成するそれぞれの底蓋用フラップ（１３ａ、１３ｂ）が連設されている。
【００３３】
前記側板（１１ａ、１１ｂ）の上端に折り目線を介して、それぞれの上蓋用フラップ（１２ａ、１２ｂ）と一体的である側板用フラップ（１４）が連設され、該側板用フラップ（１４）は、翼部（１４ａ）と、折り目線（ｘ）で形成される三角形状の舌片（１４ｂ）とから形成されている。
【００３４】
前記上蓋用フラップ（１２ａ、１２ｂ）の先端には、突出した形状のそれぞれの舌片（１７ａ、１７ｂ）が設けられている。その突出した形状と長さは、同一でも構わないが、前板（１０ａ）の上蓋用フラップ（１２ａ）の舌片（１７ａ）を大きくし、後板（１０ｂ）の上蓋用フラップ（１２ｂ）の上側に位置させることが好ましい。
【００３５】
もしも、反対に上蓋用フラップ（１２ｂ）を上側にして上蓋用フラップ（１２ａ）を下側にすると、翼部（１４ａ）の１部分と糊代（１６）の上端が障害となり、スムースに上蓋（１２）を閉じ込めないので、特に、翼部（１４ａ）の構造を反対方向に変更する必要がある。
【００３６】
しかし、一般的にデザイン上、カートンの正面は、前板（１０ａ）側であり、すなわち糊代片（１６）と連設していない方であるので、前板（１０ａ）の上蓋用フラップ（１２ａ）の舌片（１７ａ）を大きくし、後板（１０ｂ）の上蓋用フラップ（１２ｂ）の上側に位置させることがデザイン上も好ましい。
【００３７】
次に、該側板（１１ａ、１１ｂ）には、側板用フラップ（１４）の上端から該側板（１１ａ、１１ｂ）の長手方向下方に延在する中央折り目線（ｚ）が形成されている。
【００３８】
さらに、それぞれの側板（１１ａ、１１ｂ）を内側に屈曲し易くするために該側板（１１ａ、１１ｂ）の下の各コーナから中央折り目線（ｚ）の所定の位置に至るそれぞれの折り目線（ｙ、ｙ）を設ける。また、該側板（１１ａ、１１ｂ）の下部には、折り目線を介して、耳フラップ（１５、１５）が形成されている。
【００３９】
このような構造からなるカートンブランクを折り目線に沿って折り曲げ、また、必要箇所は糊付けするなどの加工作業により、図２に示すように、底蓋（１３）が折り畳まれて封緘され、上部が開封した状態のカートンが組み上がる。
【００４０】
次に、このカートンを閉じる状態を、図２〜図４に基づいて説明する。まず、カートンを閉じる際には、上側の上蓋用フラップ（１２ａ）を下側の上蓋用フラップ（１２ｂ）に覆い被さるように閉じて行くと、同時に該上蓋用フラップ（１２ａ、１２ｂ）と側板（１１ｂ）との間に設けられた側板用フラップ（１４）と、上蓋用フラップ（１２ａ）と側板（１１ａ）とに連設している側板用フラップ（１４）とからなる、それぞれの側板用フラップ（１４、１４）の翼部（１４ａ、１４ａ）が外向きに折り曲げられ三角形のフラップとして形成され、そのような状態の該翼部（１４ａ、１４ａ）を外方向下側に折り曲げると、それぞれの該翼部（１４ａ、１４ａ）は、二重壁構造の三角形状となり、その下側の壁がそれぞれの側板（１１ａ、１１ｂ）に密着し、同時に該上蓋用フラップ（１２ａ、１２ｂ）からなる上蓋（１２）は、カートンの上部において、円弧部分（１９）の効果により、スムーズに閉じ、且つ、重なり合った状態に完全に保持される。
【図面の簡単な説明】
【００４１】
【図１】本発明に係る再封・封緘性を向上した再封可能なカートンのブランクの１実施例を示す展開図である。
【図２】本発明に係る再封・封緘性を向上した再封可能なカートンの上蓋を開放した状態の１実施例を示す斜視図である。
【図３】本発明に係る再封・封緘性を向上した再封可能なカートンの上蓋を途中まで閉じた状態の１実施例を示す斜視図である。
【図４】本発明に係る再封・封緘性を向上した再封可能なカートンの上蓋を完全に閉じた状態の１実施例を示す斜視図である。
【図５】従来の再封可能なカートンのブランクの１実施例を示す展開図である。
【図６】従来の再封可能なカートンの上蓋を開放した状態の１実施例を示す斜視図である。
【図７】従来の再封可能なカートンの上蓋を途中まで閉じた状態の１実施例を示す斜視図である。
【図８】従来の再封可能なカートンの上蓋を完全に閉じた状態の１実施例を示す斜視図である。
【符号の説明】
【００４２】
１０ａ・・・前板
１０ｂ・・・後板
１１ａ・・・側板
１１ｂ・・・側板
１２・・・上蓋
１２ａ・・・上蓋用フラップ
１２ｂ・・・上蓋用フラップ
１３・・・底蓋
１３ａ・・・底蓋用フラップ
１３ｂ・・・底蓋用フラップ
１４・・・側板
１４ａ・・・翼部
１４ｂ・・・舌片
１５・・・耳フラップ
１６・・・糊代片
１７ａ・・・舌片
１７ｂ・・・舌片
１９・・・円弧部分
ｃ・・・折り目線
ｄ・・・折り目線
ｘ・・・折り目線
ｙ・・・折り目線
ｚ・・・中央折り目線
【図１】
2009126547.tif 000003
【図２】
2009126547.tif 000004
【図３】
2009126547.tif 000005
【図４】
2009126547.tif 000006
【図５】
2009126547.tif 000007
【図６】
2009126547.tif 000008
【図７】
2009126547.tif 000009
【図８】
2009126547.tif 000010